(57)【特許請求の範囲】
【請求項１】
吸引風を発する電動送風機と、前記電動送風機の前方に設けられた前記吸引風の掃除機本体への流入口である吸気口と、前記電動送風機の後方の掃除機本体外郭を構成する枠体の外側に、前記枠体と対峙して着脱自在に配設され、上流側の前記吸気口および下流側の前記電動送風機と連通する集塵部とを備え、前記集塵部の外周が対峙する前記掃除機本体の枠体に、前記電動送風機からの排気風が外気へ排出される排気部を形成し、前記排気部と、配設された前記集塵部の外郭との間に、隙間を設けた電気掃除機。
【請求項２】
排気部から排出された、電動送風機からの排気風が、隙間を介して略円筒形状の集塵部の外郭に沿って流れるよう構成した請求項１記載の電気掃除機。
【発明の詳細な説明】
【０００１】
【発明の属する技術分野】
本発明は、一般家庭で使用される電気掃除機に関するもので、特に消音効果を発揮する排気音の低減に関するものである。
【０００２】
【従来の技術】
従来のこの種の電気掃除機は特公昭６２−１５２０７号公報に記載されているようなものが一般的であった。この電気掃除機を図１５を用いて説明する。
【０００３】
図１５において、１は掃除機本体、２は吸引風を発する電動送風機で、塵埃を吸引する吸込具（図示せず）に連通しており、前記電動送風機２は、前記掃除機本体１の後方に配設され、掃除機本体１の前方には、微細な塵埃捕集用のメインフィルター３と、粗い塵埃を捕集するためのプレフィルター４を有する集塵部５が設けられている。前記集塵部５は、前記掃除機本体１と着脱自在に構成され、前記電動送風機２と連通している。
【０００４】
集塵部５の前方には、前記集塵部５に連通し、塵埃を掃除機本体１へ取込む吸気口６が備えられている。
【０００５】
掃除機本体１を運転すると、吸込具（図示せず）より吸引された空気は、吸気口６を通って前記集塵部５内に入り、粗い塵埃を捕集するためのプレフィルター４及び、微細な塵埃捕集用のメインフィルター３を通過し、掃除機本体１の上方に形成された吸引通路８へと導かれ、電動送風機２へ連通される。電動送風機２からの排気は、電動送風機２近傍で掃除機本体１後方に配設されたフィルター９を通過し、掃除機本体１後方に設けられた排気孔１０から排出される。
【０００６】
【発明が解決しようとする課題】
しかしながら上記従来の電気掃除機の構成では、電動送風機２からの排気風が直接的に掃除機本体１後方に設けられた排気孔１０から大気に排出されること、また音源である電動送風機２と大気が直接的に連通していることが、騒音増大の要因になっていた。
【０００７】
これを解決するためには、フィルター９の通気圧損を高めることが考えられるが、排気効率が悪化して電気掃除機の集塵性能を低下させたり、また、フィルター９の厚みを大きくすれば掃除機本体１が大型化することも考えられる。
【０００８】
本発明は、上記課題を解決するもので、簡易な構成かつ低コストで静音化を図った電気掃除機を提供することを目的とする。
【０００９】
【課題を解決するための手段】
上記課題を解決するために本発明は、吸引風を発する電動送風機と、前記電動送風機の前方に設けられた前記吸引風の掃除機本体への流入口である吸気口と、前記電動送風機の後方の掃除機本体外郭を構成する枠体の外側に、前記枠体と対峙して着脱自在に配設され、上流側の前記吸気口および下流側の前記電動送風機と連通する集塵部とを備え、前記集塵部の外周が対峙する前記掃除機本体の枠体に、前記電動送風機からの排気風が外気へ排出される排気部を形成し、前記排気部と、配設された前記集塵部の外郭との間に、隙間を設けた電気掃除機とした。
【００１０】
上記発明によれば、電動送風機からの排気風が直接的に大気に排出されることがなく、騒音を低減させることができる。また、風速、流速を抑えるフィルター等で対応すること無く、簡単な構成で静音化が図れる。さらに、排気部が直接使用者の目にふれることなく、排気部により掃除機本体の外観美を損なわすことがなくなる。
【００１１】
【発明の実施の形態】
本発明の請求項１記載の発明は、吸引風を発する電動送風機と、前記電動送風機の前方に設けられた前記吸引風の掃除機本体への流入口である吸気口と、前記電動送風機の後方の掃除機本体外郭を構成する枠体の外側に、前記枠体と対峙して着脱自在に配設され、上流側の前記吸気口および下流側の前記電動送風機と連通する集塵部とを備え、前記集塵部の外周が対峙する前記掃除機本体の枠体に、前記電動送風機からの排気風が外気へ排出される排気部を形成し、前記排気部と、配設された前記集塵部の外郭との間に、隙間を設けた電気掃除機とした。
【００１２】
上記発明によれば、電動送風機からの排気風が直接的に大気に排出されることがなく、騒音を低減させることができる。また、風速、流速を抑えるフィルター等で対応すること無く、簡単な構成で静音化が図れる。さらに、排気部が直接使用者の目にふれることなく、排気部により掃除機本体の外観美を損なわすことがなくなる。
【００１３】
本発明の請求項２記載の発明は、請求項１に記載の排気部から排出された、電動送風機からの排気風が、隙間を介して略円筒形状の集塵部の外郭に沿って流れるよう構成したもので、電動送風機からの排気風が直接的に大気に排出されることがなく、騒音を低減させることができる。また、風速、流速を抑えるフィルター等で対応すること無く、簡単な構成で静音化が図れる。
【００１４】
【実施例】
（実施例１）
以下本発明の第１の実施例について、図１〜８を用いて説明する。
【００１５】
図１は、本発明の第１の実施例を示す掃除機本体の平面図であり、図２は、その部分断面側面図であり、図３は、掃除機本体の中央断面図であり、図４は、図１のＡ−Ａ断面図である。図５は、掃除機本体の吸引通路を含む水平方向の断面図であり、図６は、掃除機本体の後方の部分断面図である。図７は、掃除機本体の排気部を含む水平方向の断面図である。図８は、排気フィルター部を含む垂直方向の断面図である。
【００１６】
図１〜８において、掃除機本体１１は、吸引風を発する電動送風機１２を内蔵し、塵埃を吸引する集塵用ホース１３と連通されている。この掃除機本体１１は、下枠体１４と上枠体１５とコードリールカバー１６及び、格納蓋１７とで、外郭を構成している。電動送風機１２の上方には、サポートゴム１８が支持され、外周及び後方は、電動送風機収納体１９に覆われている。また、電動送風機１２は、この電動送風機収納体１９に支持されている。電動送風機１２は、下枠体１４と上枠体１５の間に配設されており、また、下枠体１４と上枠体１５は互いにインロー構成で固定されている。集塵用ホース１３は、電動送風機１２の前方で、かつ、掃除機本体１１の前方に配設された吸気口２０に着脱自在に構成されている。また、電動送風機１２の後方には、塵埃を蓄積させる略円筒形状の集塵部２１が配設されており、この集塵部２１の上方には電源コード２２を収納したコードリール室２３が配設されている。なお、本実施例では、コードリール室２３を集塵部２１の上方に設けているが、前記集塵部２１の下方に設けてもよい。
【００１７】
電動送風機１２を内蔵した電動送風機収納体１９には、電動送風機１２からの排気を通す排気口２４が、掃除機本体１１の側面側に設けられている。また、集塵部２１の外周近傍で、掃除機本体１１後方で上枠体１５には、上方、下方が開口された箱状のリブ２５が形成されており、この箱状のリブ２５には、集塵部２１側に電動送風機１２からの排気を外気へ排出する排気部２６が設けられている。
【００１８】
上記構成において動作、作用を説明する。
【００１９】
図５〜図７において、電動送風機１２からの排気風は矢印で示すよう、前記掃除機本体１１の側面側に位置した電動送風機収納体１９の排気口２４を通過する。排気口２４を通過した排気は、下枠体１４と上枠体１５の間を通り、掃除機本体１１の上枠体１５に設けた、箱状のリブ２５の間を連通し、排気部２６から排出される。この為、電動送風機１２からの排気風は、直接外気に排出されることがなくなる。また、排気通路が長くなり、騒音を低減させることができる。
【００２０】
また、図３、図４、図８において、電動送風機１２に吸引される空気は、吸気口２０から、吸引通路２７を介して、電動送風機１２の後方で、かつ、掃除機本体１２の後方に配設された略円筒形状の集塵部２１に連通し、集塵部２１に設けられたフィルター２８によって塵埃と空気に分離される。
【００２１】
塵埃は、自重によって集塵部２１の下面に蓄積される。またフィルター２８を通りぬけた空気は、連通路２９を介して、電動送風機収納体１９の電動送風機１２に連通されている。吸引通路２７は、電動送風機１２の側面に配設され、連通路２９は、電動送風機１２の上方に配設されている。このような構成にすることにより、吸引通路２７及び、連通路２９とが、互いに離れた位置となり、通路が重なって掃除機本体１１が大きくなることがなく、スペースを有効に使い小型化が可能となる。
【００２２】
図３、図６において、電動送風機１２からの排気を外気へ排出する排気部２６は、集塵部２１の上方に設けられている為、床面から高い位置となり、床面に溜まったゴミや書類を吹き飛ばさなくて済む。
【００２３】
また、排気部２６は、略円筒形状の集塵部２１の外郭３０で覆った構成としている為、排気部２６は外観より目隠しされ、外観美を損なわさなくなる。さらに、排気風は、集塵部２１の外郭３０にあたり排気風を分散させ、集塵部２１の外郭３０に沿って流れるため、排気風の風速、流速を落とし排気風による騒音を下げることができる。
【００２４】
また、集塵部２１上方のコードリール室２３は、コード巻き取り装置３１を有したコード２２が収納してあり、コードリール室２３は、コード巻き取り装置３１を上面及び側面を覆うコードリールカバー１６とコードリール室２３の底面の仕切り板３２とで覆われている。コードリールカバー１６の後方には、コード２２が出し入れされるコード出口部３３が設けられている。
【００２５】
上枠体１５の、上方が開口された箱状のリブ２５と、仕切り板３２から形成された箱状の壁３４は互いにインロー構成で係止されており、排気風はコードリール室２３に連通されるよう形成されている。これらの構成より、電動送風機１２からの排気風は、コード２２が内蔵された、コードリール室２３を通り、コード出口部３３から排出されるので、コード２２の温度上昇を抑え、冷却効果が発揮できることが可能となる。
【００２６】
（実施例２）
図９は本発明の実施例２の掃除機本体の部分断面図である。図１０は、フィルター支持体を示した側面断面図である。図１１は、格納蓋を開いた時の動作図であり、図１２は、掃除機本体の部分断面平面図である。図１３は、掃除機本体にフィルター支持体を着脱させる時の動作図である。
【００２７】
実施例２は、実施例１からフィルター支持体まわりを詳細に表したものである。なお、実施例１と同符号のものは同一構造を有し、その説明は省略する。
【００２８】
図９、図１３において、電動送風機収納体１９には、排気口２４と連通する箱状の壁３５が、電動送風機収納体１９と一体形成されている。この箱状の壁３５は、上方が開口されており、また、掃除機本体１１側面側にも開口を有した排気孔３６が形成されている。この箱状の壁３５で上方が開口されている壁３７は、掃除機本体１１の上枠体１５に形成された開口部３８のリブ３９とインロー形状で嵌合係止されている。また、壁３７は、上方を前方に傾斜して構成されている。
【００２９】
４０は、排気フィルター４１を内蔵したフィルター支持体であり、略コ字状の箱体で形成されており、図１３で示すように側面に設けた孔４２に、排気フィルター４１が挿入され圧入によって着脱自在に構成されている。フィルター支持体４０は、掃除機本体１１の上枠体１５に形成された開口部３８に挿入されて、電動送風機収納体１９と一体形成された箱状の壁３５に支持され箱状の壁３５の内壁とフィルター支持体４０の外壁との圧入によって、着脱自在に構成されている。
【００３０】
次に動作、作用を説明すると、電動送風機１２から排出される微細な塵埃、カーボン等は、電動送風機１２近傍で電動送風機収納体１９に係止された、排気フィルター４１で食止め、排気通路内に塵埃が通らなくなり、排気通路内の塵埃溜りを防止し排気の洗浄度を向上させることができる。
【００３１】
また、図９、図１０において、電動送風機収納体１９の下面４３と、下枠体１４の底面４４との間に弾性を有する防振体４５を配設することにより、仮に掃除機本体１１を繰返し落下させた時でも、電動送風機１２の自重による衝撃を干渉させて下枠体１４の破損を防止させることができる。また、結果的に、電動送風機１２が発する振動を防振体４５が防振させ騒音低下を図ることが出来る。
【００３２】
図３、図５、図９において、排気風が通るフィルター支持体４０に形成された複数の排気格子４２Ａと、排気を外気へ排出する排気部２６との間に、電動送風機１２制御用の電子部品４６が配設されており、電子部品４６は、排気通路を形成する下枠体１４と上枠体１５に嵌合係止されている。このことより、電子部品４６の冷却効果を向上させることができる。また、排気風は、排気フィルター４１を通過している為、洗浄度がよく、電子部品４６に塵埃が付着することはなく電子部品４６の信頼性を向上させる。
【００３３】
また、図４、図１０、図１１において、吸気口２０及び、電動送風機１２の上方で、掃除機本体１１の上枠体１５にアタッチメント４７を収納させる凹み状のアタッチメント収納部４８が設けられており、このアタッチメント収納部４８及び、アタッチメント４７の上方には、アタッチメント４７を覆う格納蓋１７が配設されている。
【００３４】
また同様に、フィルター支持体４０も格納蓋１７によって覆われている。格納蓋１７は、図１１で示すよう、掃除機本体１１の略中央部に形成された支持体４９の回動支点５０に軸支され回動自在に構成されている。このことにより、通常使用状態で格納蓋１７が閉じた状態では、フィルター支持体４０が外観より目隠しされ、掃除機本体１１の外観美を損なわすことがなく掃除機本体１１の形状をシンプルに構成することができる。
【００３５】
さらに、電動送風機収納体１９と一体形成された箱状の壁３５で、上方が開口された壁３７は上方が前方に傾斜させ、フィルター支持体４０を、斜め前方に傾斜させた位置で係止されている。図１１で示すように、格納蓋４９を開けた時、フィルター支持体４０が使用者から見やすくなり、かつ、フィルター支持体４０を掃除機本体１１から外すとき、矢印Ｂ方向（斜め方向）に移動するため、格納蓋４９に干渉しにくくなり、フィルター支持体４０の着脱性を向上させる。
【００３６】
また図９、図１３おいて、フィルター支持体４０が挿入される掃除機本体１１側で、上枠体１５に形成された開口部３８の端部外周に斜め状のテーパー面５１を形成することにより、開口部３８の面積が大きくなり、簡単な構成でフィルター支持体４０の着脱性をより向上させることができる。
【００３７】
図１２、図１３において、フィルター支持体４０の外面に凸部５２を設け、この凸部５２に相対した位置で、掃除機本体１１側の上枠体１５に形成された開口部３８に凹部５３を形成し、フィルター支持体４０を掃除機本体１１に挿入する時、凸部５２と、凹部５３が互いに嵌合する構成としている。
【００３８】
この構成により、フィルター支持体４０の位置決めが廉価な構成ででき、フィルター支持体４０が間違った方向で組み込まれることなく誤組立てを防止させることができる。
【００３９】
また、図１３において、フィルター支持体４０の凸部５２の端部に傾斜面５４を形成することにより、フィルター支持体４０を掃除機本体１１に着脱する時、フィルター支持体４０の凸部５２は、開口部３８の凹部５３と引っ掛ることを和らげ、フィルター支持体４０の着脱性を向上させる。
【００４０】
（実施例３）
図１４は本発明の実施例３の電気掃除機の部分断面図である。本実施例３は、実施例１から窓に関して詳細に表したものである。なお、実施例１と同符号のものは同一構造を有し、その説明は省略する。
【００４１】
図９、図１４において、フィルター支持体４０の側面近傍で、掃除機本体１１の下枠体１４側面に透明材料の窓５５が配設されており、５６は、掃除機本体１１及び、家具等の傷付きを防止するバンパーである。
【００４２】
次に動作、作用を説明すると、排気フィルター４１に、電動送風機１２からの塵埃が付着し汚れが目立ってくれば、透明材料の窓５５から、排気フィルター４１の汚れ具合が確認でき、毎々、格納蓋１７を開閉して確認することもなく使用性が向上できる。
【００４３】
また、窓５５の外周端部は凹形状５７を有しており、掃除機本体１１の下枠体１４側面には、窓５５の外周形状と同一形状をした切り欠き部５８が形成されている。窓５５の凹形状５７は、掃除機本体１１の切り欠き部５８の側壁５９に挿入嵌合して窓５５を係止している。このことより、図１４で示すよう凹形状５７で形成している窓５５の外周は、矢印方向へ外れにくくなり、簡単な構成で確実に窓５５を係止させることができる。
【００４４】
【発明の効果】
以上のように本発明によれば、簡易な構成かつ低コストで静音化を図った電気掃除機を提供できる。
【図面の簡単な説明】
【図１】  本発明の実施例１における掃除機本体の平面図
【図２】  同掃除機本体の部分断面側面図
【図３】  同掃除機本体の断面図
【図４】  図１のＡ−Ａ断面図
【図５】  同掃除機本体の吸引通路を含む水平方向の断面図
【図６】  同掃除機本体の後方の部分構想図
【図７】  同掃除機本体の排気部を含む水平方向の断面図
【図８】  同掃除機本体の排気フィルター部を含む垂直方向の断面図
【図９】  本発明の実施例２における同掃除機本体の部分断面図
【図１０】  同掃除機本体のフィルター支持体を示した側面断面図
【図１１】  同掃除機本体の格納蓋を開いた時の動作図
【図１２】  同掃除機本体の部分断面平面図
【図１３】  同掃除機本体にフィルター支持体を着脱させる時の動作図
【図１４】  本発明の実施例３における掃除機本体の部分断面図
【図１５】  従来の電気掃除機の断面図
【符号の説明】
１１  掃除機本体
１２  電動送風機
１３  集塵用ホース
１７  格納蓋
１９  電動送風機収納体
２０  吸気口
２１  集塵部
２２  コード
２３  コードリール室
２６  排気部
２７  吸引通路
３０  集塵部の外郭
【図１】
0003982322.tif 000002
【図２】
0003982322.tif 000003
【図３】
0003982322.tif 000004
【図４】
0003982322.tif 000005
【図５】
0003982322.tif 000006
【図６】
0003982322.tif 000007
【図７】
0003982322.tif 000008
【図８】
0003982322.tif 000009
【図９】
0003982322.tif 000010
【図１０】
0003982322.tif 000011
【図１１】
0003982322.tif 000012
【図１２】
0003982322.tif 000013
【図１３】
0003982322.tif 000014
【図１４】
0003982322.tif 000015
【図１５】
0003982322.tif 000016